(57)【特許請求の範囲】
【請求項１】
被写体像を光電変換して画像信号を出力する撮像素子と、
被写体画像をモニタ表示可能な表示画面を有する表示部と、
上記表示部に対して、上記表示画面上における所定の位置に対応した複数の撮影支援用画像を表示するテンプレート表示モードを実現し得る表示制御部と、
上記テンプレート表示モードにおいて、上記複数の撮影支援画像のうち一の撮影支援画像を選択する選択手段と、
を具備し、
上記表示制御部は、上記テンプレート表示モードにおいて上記選択手段により上記複数の撮影支援画像のうち一の撮影支援画像が選択された際、当該選択された撮影支援画像を上記所定の位置とは異なる位置に移動して表示するとともに、選択された当該撮影支援画像に対応した上記被写体像のモニタ画像を、上記表示画面上における当該撮影支援画像を表示する領域とは異なる領域に表示可能に制御する
ことを特徴とするカメラ。
【請求項２】
上記異なる領域は、上記表示画面上において上記選択された撮影支援画像を表示する領域より大きな面積を有するものであることを特徴とする請求項１に記載のカメラ。
【請求項３】
さらに上記表示制御部は、上記表示画面上における、上記選択された撮影支援画像および上記モニタ画像を表示する領域以外の領域において、上記モニタ画像が撮影画面全体における相対的な位置を示すレイアウト画像をさらに表示するよう制御する
ことを特徴とする請求項１に記載のカメラ。
【請求項４】
被写体像を光電変換して画像信号を出力する撮像素子と、被写体画像をモニタ表示可能な表示画面を有する表示部と、上記表示部に対して、上記表示画面上における所定の位置に対応した複数の撮影支援用画像を表示するテンプレート表示モードを実現し得る表示制御部と、上記テンプレート表示モードにおいて、上記複数の撮影支援画像のうち一の撮影支援画像を選択する選択手段と、を具備するカメラの制御方法であって、
上記表示制御部は、上記テンプレート表示モードにおいて上記選択手段により上記複数の撮影支援画像のうち一の撮影支援画像が選択された際、当該選択された撮影支援画像を上記所定の位置とは異なる位置に移動して表示するとともに、選択された当該撮影支援画像に対応した上記被写体像のモニタ画像を、上記表示画面上における当該撮影支援画像を表示する領域とは異なる領域に表示可能に制御する
ことを特徴とするカメラの制御方法。
【請求項５】
上記異なる領域は、上記表示画面上において上記選択された撮影支援画像を表示する領域より大きな面積を有するものであることを特徴とする請求項４に記載のカメラの制御方法。
【請求項６】
さらに上記表示制御部は、上記表示画面上における、上記選択された撮影支援画像および上記モニタ画像を表示する領域以外の領域において、上記モニタ画像が撮影画面全体における相対的な位置を示すレイアウト画像をさらに表示するよう制御する
ことを特徴とする請求項４に記載のカメラの制御方法。
【発明の詳細な説明】
【技術分野】
【０００１】
本発明は、デジタルカメラ、特に撮影後にアルバム等で楽しむことのできる静止画や動画の撮影に適したカメラ及び及びカメラの制御方法に関するものである。
【背景技術】
【０００２】
図１は銀塩フィルムでの写真撮影から撮影画像の鑑賞までの流れを簡単に示す図である。図１（Ａ）は写真撮影時の撮影者の様子を示し、同（Ｂ）は出来た写真のアルバムへの整理を示し、同（Ｃ）はそのアルバムを鑑賞する様子を示している。つまり、従来のフィルムカメラの撮影では、図１（Ａ）のように撮影したフィルムをラボに持っていけば、図１（Ｂ）のようにどの撮影コマも同じサイズにプリントされて、これをアルバムにはさんで図１（ｃ）のように鑑賞するスタイルが確立されていた。
【０００３】
一方、最近はデジタルカメラが広く普及しているが、このデジタル化された画像については、従来の銀塩フィルムのように単に撮影画像のプリントを鑑賞するだけでなく、それ以外の鑑賞方法が以下のように多く提案されている。
【０００４】
図２はデジタルカメラで撮影されたデジタル画像の一般的な整理態様を示す図である。図２（Ａ）は各撮影画像の１コマ画像を示している。図２（Ｂ）は、電子的にサイズが変えられた複数の画像がレイアウトされた１の画面を示す図である。このように写真がデジタルカメラで撮影されるようになると、どの画像も均一の大きさで鑑賞する必要はなくなり、図２（Ｂ）のように重要な写真は大きく、それほど重要でない写真は小さくレイアウトして１つの画像を作ることも容易になる。
【０００５】
また、図２（Ｃ）は、コラージュやモンタージュのような画像処理方法を使って１つの画像の中に複数の画像を配置して溶け込ませた画像の例を示す図である。これは、図２（Ｂ)のような１つ１つの画像を四角く区切る事をしない再現方法である。例えば、特開２０００−２１５２１２公報には、画像につけられた識別子によって画像を分類してアルバムを作るフォトコラージュの作成方法が提案されている。
【０００６】
また、鑑賞方法も多様化し、テレビに画像を映し出してみたり、デジタルカメラの背面液晶を含む専用ビュワーや、プロジェクタによる投影などプリント以外の鑑賞方法も利用される。図３はこの鑑賞スタイルの一例を示す図である。図３（Ａ）はデジタルカメラまたはカメラの付いていない電子ビュワーを利用してユーザーが写真鑑賞をしている場面を示す図である。図３（Ｂ）は、この画面例を示すもので、複数の画像が所定位置にレイアウトされた合成画像が表示される画面を示す。また、その画像も時間で変化させることもなされ、図３（Ｃ）は同（Ｂ）の画像が一定時間後に変化した画面を示す図である。
【先行技術文献】
【特許文献】
【０００７】
【特許文献１】特開２０００−２１５２１２号公報
【発明の概要】
【発明が解決しようとする課題】
【０００８】
上記のようにフィルム中心の写真産業による写真鑑賞法では、図１のような撮影時の１コマ１コマが完成された画像になるような作品作りに大きな重点が置かれていた。
【０００９】
このような銀塩フィルムの世界では、カメラで撮影したが画像はカメラマンの腕に依存することが多く、完成した写真が鑑賞に耐えるか否かは、現像やプリント工程ではなく撮影した瞬間に決まっていた。そのためにカメラマンは、プリントされた時の効果まで考え、瞬時に構図を決めて、レリーズ操作を行うという訓練を積み重ねる必要があった。
【００１０】
しかし、最近のデジタル画像に対する世界では、新しい鑑賞方法の1つとして、図２（Ｂ）、（Ｃ）や図３（Ｂ）、（Ｃ）のような複数の画像が合わさった画像や結合された画像を鑑賞するという鑑賞方法が広まってきている。
【００１１】
このような新しい鑑賞方法において大きな効果を出すためには、撮影時の作品作りが重要になるが、これまでのように単に撮影の瞬間を撮られる技術で得られた画像では、新しい鑑賞方法で大きな効果を出すことは容易でないと考えられる。
【００１２】
つまり、このような作品の撮影においては異なるアプローチによる撮影手法が必要と考えられるが、例えば上記特開２０００−２１５２１２のような提案は、画像につけられた識別子によって画像を分類してアルバムを作るもので、従来の方法で撮影した画像を分類するに過ぎない。これまでのような単に撮影の瞬間を撮る技術だけでは、新しい鑑賞方法に適した撮影をより効率的にすることができない。
【００１３】
本発明は、上述した点に鑑みてなされたものであって、その目的とするところは、デジタル画像の新たな鑑賞方法をより効果的にするための画像撮影が簡単にできるカメラ及びカメラの制御方法を提供することである。
【課題を解決するための手段】
【００１４】
上記目的を達成するために、本発明の一態様のカメラは、被写体像を光電変換して画像信号を出力する撮像素子と、被写体画像をモニタ表示可能な表示画面を有する表示部と、上記表示部に対して、上記表示画面上における所定の位置に対応した複数の撮影支援用画像を表示するテンプレート表示モードを実現し得る表示制御部と、上記テンプレート表示モードにおいて、上記複数の撮影支援画像のうち一の撮影支援画像を選択する選択手段と、を具備し、上記表示制御部は、上記テンプレート表示モードにおいて上記選択手段により上記複数の撮影支援画像のうち一の撮影支援画像が選択された際、当該選択された撮影支援画像を上記所定の位置とは異なる位置に移動して表示するとともに、選択された当該撮影支援画像に対応した上記被写体像のモニタ画像を、上記表示画面上における当該撮影支援画像を表示する領域とは異なる領域に表示可能に制御する。
【００１５】
また、本発明の一態様のカメラの制御方法は、被写体像を光電変換して画像信号を出力する撮像素子と、被写体画像をモニタ表示可能な表示画面を有する表示部と、上記表示部に対して、上記表示画面上における所定の位置に対応した複数の撮影支援用画像を表示するテンプレート表示モードを実現し得る表示制御部と、上記テンプレート表示モードにおいて、上記複数の撮影支援画像のうち一の撮影支援画像を選択する選択手段と、を具備するカメラの制御方法であって、上記表示制御部は、上記テンプレート表示モードにおいて上記選択手段により上記複数の撮影支援画像のうち一の撮影支援画像が選択された際、当該選択された撮影支援画像を上記所定の位置とは異なる位置に移動して表示するとともに、選択された当該撮影支援画像に対応した上記被写体像のモニタ画像を、上記表示画面上における当該撮影支援画像を表示する領域とは異なる領域に表示可能に制御する。
【発明の効果】
【００１６】
本発明によれば、映像作品鑑賞時の楽しみを想定して撮影時に写真撮影のできるカメラ及びカメラの制御方法を提供することができる。
【図面の簡単な説明】
【００１７】
【図１】従来の銀塩フィルム写真の鑑賞の流れを示す図、
【図２】デジタルカメラで撮影されたデジタル画像の従来一般的な整理を示す図、
【図３】デジタルカメラ、専用ビュワーやプロジェクタによる投影などの従来一般的な鑑賞方法を示す図、
【図４】本発明のデジタルカメラの構成を示すブロック図、
【図５】本発明のデジタルカメラの背面外観を示す図、
【図６】本発明の第１の実施形態において、複数シーンに静止画が適用される場合に、撮影時に表示されるテンプレートを示す図、
【図７】本発明の第１の実施形態において、付帯画像に動きを加えるようにしたテンプレートで撮影された画像の再生画面を示す図、
【図８】本発明の第１の実施形態において、ＣＰＵ処理についてのフローチャートを示す図、
【図９】本発明の第１の実施形態において、テンプレートデータの更新前後の内容を対比して示す図、
【図１０】本発明の第１の実施形態において、圧縮処理のフローチャートを示す図、
【図１１】本発明の第１の実施形態において、テンプレートの例として、コラージュ風のテンプレートが表示される画面を示す図、
【図１２】図１１で示すコラージュ風テンプレートに関する画像処理のフローチャートを示す図、
【図１３】本発明の第２の実施形態において、イベントの種類が表示される画面を示す図、
【図１４】図１３のイベントに対応する画像切換パターンとして、４つのサンプル画像が表示される画面を示す図、
【図１５】本発明の第２の実施形態において、完成した作品の例を示す図、
【図１６】図１３で示した画面表示等についてのフローチャートを示す図、
【図１７】本発明の第３の実施形態において、（Ａ）はユーザーに手で持たれた状態のカメラ背面が示し、（Ｂ）はサンプル画像が選択された後の撮影画面を示し、（Ｃ）はサブ画面１９ｂのような縦構図の画像が選択された後の撮影画面を示す図、
【図１８】本発明の第３の実施形態において、選択されたサンプル画像に対応する撮影モードの違いによる撮影条件の具体的な例の一部を示す図表、
【図１９】本発明の第３の実施形態において、ＣＰＵ処理のフローチャートを示す図、
【発明を実施するための形態】
【００１８】
以下、図面を参照して本発明の実施形態について説明する。
【００１９】
［第１の実施形態］本発明の第１の実施形態について、図４から図１２までを用いて説明する。図４は、本発明の第１の実施形態のデジタルカメラ１０（以下カメラと称す）の構成を示すブロック図である。
【００２０】
カメラ１０には、被写体像を結像させる撮影レンズ２、結像された光学像を光電変換して画像信号を出力する撮像素子３、画像信号をデジタル信号に変換するＡ／Ｄ変換手段４、デジタル信号にγ補正やホワイトバランスの調整等の各種処理を施すデジタル画像処理手段５、デジタル信号を圧縮する画像圧縮手段６、圧縮処理されたデジタル信号の画像を記録する記録部７aとテンプレート記録部７ｂを有するメモリ７ がそれぞれ設けられる。
【００２１】
また、カメラ１０には、大型ＬＣＤ（液晶表示）から構成される表示手段９と、表示手段を制御する表示制御手段８、並びにカメラ全体の制御を司るマイクロコントローラであるＣＰＵ１が設けられる。操作者の指示を検出する複数のスイッチからなるスイッチ１２も設けられＣＰＵ１に接続される。
【００２２】
ＣＰＵ１は、ＣＰＵ１に内蔵または外付けＲＯＭ（不図示）に記憶されたプログラムに従って上記各ブロックを所定のシーケンスで制御する。そして後述するようにＣＰＵ１が、表示制御手段（表示制御部）、記録制御手段、制御手段（制御部）等を構成する。また、カメラ１０にはプリンタ１１が接続される。
【００２３】
このカメラ１０による撮影動作を簡単に説明する。ＣＰＵ１は撮影者によるスイッチ１２の操作を検出して、撮影シーケンスを制御する。被写体像２０は、撮影レンズ２を介して、撮像素子３に入射する。撮像素子３の各画素は被写体像の明暗に従って大きさの異なる電気信号を出力する。撮像素子３から出力された画像信号は、Ａ／Ｄ変換手段４によってデジタル信号に変換される。変換されたデジタル信号は、後段のデジタル画像処理手段５にて画像のγ補正やホワイトバランスの調整等の処理が行われ、さらに画像圧縮手段６にて後述する記録部７ａへの記録画像数を増加させるために圧縮処理が行われ、圧縮された画像信号が記録部７ａに記録される。
【００２４】
また、撮影された画像や撮影前の被写体像２０は、表示制御手段８を介して例えば大型ＬＣＤ（液晶表示）から構成される表示手段９に表示される。表示制御手段８は、デジタル画像処理手段５から出力された画像信号や後述するテンプレートを表示するよう表示手段９を制御する。
【００２５】
また、カメラ１０に接続されたプリンタ１１は、カメラ１０と例えばＵＳＢ（Universal Serial Bus）で接続され、カメラ１０から送信される画像データを入力し印刷用画像データに変換して用紙に印刷する。
【００２６】
図５はこのカメラ１０の背面外観を示す図である。カメラ背面の中央には大型液晶部（ＬＣＤ）からなる表示手段９の表示画面１９が配置され、表示画面１９の右上にはスイッチ１２に含まれる十字キースイッチ１２ａが配置される。この表示画面１９には、一枚の写真を全画面表示させて鑑賞するようにしてもよいし、図５で示すように複数の画面、例えばメイン画面１９ａとサブ画面１９ｂの２つの画面を表示するようにしてもよい。詳細は後述する。また、カメラからプリント１１へプリントする際には、確認のために表示画面１９にはプリント予定画像が表示される。
【００２７】
図６及び図７は、本発明の第１の実施形態のカメラの画面表示例である。この図で表示される画面は、上記図２（Ｂ）や（Ｃ）で説明したような複数画像（シーン）が配置された画面で、再生時の鑑賞態様を予定して撮影される際の、表示画面である。詳しくは、撮影される画像（モニタ画像）が再生表示される大きさで表示され、また再生時の表示予定位置を示す情報が表示され、また撮影時の推奨構図も同時に表示され、あるいは再生時（鑑賞時）に現モニタ画像による撮影画像と同時に表示される他の画像も合わせた複数画像（シーン）が再生時と同様なレイアウトで表示される。
【００２８】
なお、ここで画面に表示される撮影支援用の画像を「テンプレート」と呼ぶ。そして、これらの表示制御は、ＣＰＵ１の処理による表示制御手段（表示制御部）によって行われる。
【００２９】
図６は、２種類のテンプレートを示す図である。まず、図６（Ａ）、（Ｂ）、（Ｃ）は、いずれもテンプレートＡを用いての撮影及び再生で、表示手段９に表示される各画面を示す。このテンプレートＡは、再生時に同時に３つの画面を表示させるテンプレートであるとともに、鑑賞時に楽しいと考えられる写真を撮影画像に付帯させるためのテンプレートである。
【００３０】
図６（Ａ）は、テンプレートＡの紹介用の画面を示す図である。撮影時にテンプレートＡを選択すると、まずこの画面が表示される。画面には複数のシーンとして、３つのサブ画面１９ｃ，１９ｄ，１９ｅが表示される。画面中央のサブ画面１９ｄには、おすすめ構図として、例えば２人一緒の構図を示すサンプル画像が表示される。画面左右のサブ画面１９ｃ、１９ｅには、例えば撮影者二人の好きな写真のはめ込みを薦めるようなサンプル画像が表示される。なお、サブ画面１９ｄが太枠で囲われるが、これは3つの画面のうちサブ画面１９ｄが撮影画面に選択されていることを示す。詳細は後述する。
【００３１】
図６（Ｂ）は、テンプレートＡの選択後に実際に撮影する時の画面を示す図である。モニタ画像（被写体画像）とともに撮影構図を支援するための表示がされる。大きな面積のメイン画面１９ａには撮影時の被写体画像（以降モニタ画像とも称す）が表示される。画面右下のサブ画面１９ｄには、２人で撮影する場合のおすすめの構図である構図画像がサンプル画像として表示される。また、画面右上のサブ画面１９ｆには、被写体画像が画面全体でどの部分に相当する画面になるかを示すレイアウト画像がサンプル画像として表示される。ここでは、中央の領域に斜線が施され、ここで撮影される画像が画面の中央に配置されることを示している。
【００３２】
そして撮影指示により、被写体画像がＣＰＵ１の処理による記録制御手段により記録部７ａに記録される。次に、画面左右のサブ画面１９ｃ、１９ｅ用の画像を、その後それぞれ撮影を行って記録する。なお、メイン画面とサブ画面の撮影順番はいずれでよく、サブ画面用画像として既に撮影された画像を利用しても良い。
【００３３】
これにより、例えば二人一緒の写真と左右に二人の好きなものの写真が付帯配置された合成の画像が記録される。
【００３４】
図６（Ｃ）は、同図（Ｂ）で撮影された画像の再生画面を示す図である。画面レイアウトは、同図（Ａ）で示されたようになっている。画面中央のメイン画面１９ａには、同図（Ｂ）で撮影された被写体画像が表示され、その左右の小さなサブ画面１９ｃ、１９ｅには、その前後に撮影された例えば二人の好きなものの写真が表示される。
【００３５】
図６（Ｄ）は、テンプレートＢの紹介用の画面を示す図である。テンプレートＢは、テンプレートＡより画面を１つ少なくしているが、それ以外は同様である。画面中央のサブ画面１９ｄには、おすすめ構図として、例えば２人一緒の構図を示すサンプル画像が表示される。画面右のサブ画面１９ｃには、例えば撮影者二人の好きな写真のはめ込みを薦めるようなサンプル画像が表示される。そして、撮影後の再生時には同図（Ｄ）と同様なレイアウトで２つの画面が表示される。
【００３６】
このように撮影時に、単に２人一緒の写真だけでなく、二人の好きなものの写真が表示されるサブ画面１９ｃ、１９ｅをメイン画面１９ａに付帯配置して一つの画面に出すことによって、情報量も増えて鑑賞する時に、よりイマジネーションを膨らませることが可能になる。
【００３７】
図７は、付帯画像に動きが加わったテンプレートで撮影された画像の再生画面を示す図である。上記図６のテンプレートでは、サブ画面１９ｃ、１９ｄに静止画を適用したが、並べて配置され付帯される画像の中には、動画にしたりあるいは付帯画像の位置を変化させた方が効果的なものもあるからである。例えば中央の画像は静止画の肖像写真でありながら、その回りには、装飾的に画像を動かしても面白くなる。動きの有る画像としては、静止画を順次切り換えるようにしてもよいし、直接動画を利用してもよい。
【００３８】
図７（Ａ）は再生時のある時点の画面を示し、同図（Ｂ）は（Ａ）の時点から一定時間経過後の画面を示す図である。メイン画面１９ａには被写体画像が表示され、サブ画面１９ｃ、１９ｅは被写体画像とは異なる画像が表示されている。メイン画面１９ａには静止画像で、画面の位置も固定して表示させる。サブ画面１９ｃには静止画像を表示させ、画面の位置を矢印のように下に移動させながら表示させる。サブ画面１９ｅは位置は固定して、画面には撮影された動画を表示させる。
【００３９】
通常動画はただ単に撮影したまま見ると退屈になりがちだが、上記のような動画のテンプレートを使用することによって、画面を華やかにしてメイン画面１９ａに表示される主画像を強く印象づける効果が得られる。
【００４０】
なお、上記各種テンプレートや各サンプル画像はいずれもテンプレート記録部７ｂに記録されている。
【００４１】
図８は、上記図６，７で説明したカメラの撮影時の表示制御等の制御処理についてのフローチャートである。かかる制御処理はＣＰＵ１に内蔵または外付けＲＯＭ（不図示）に記憶されたプログラムを読み込んだＣＰＵ１により実行される。
【００４２】
まずカメラが撮影モードになっているとする。ステップＳ１およびＳ２では、撮影者の指示により再生時の画面のモードとしてＡ，Ｂいずれのモードが選択されたかが判断される。簡単のためにテンプレートの種類を２種類あるとする。再生モードＡは、再生時に前述のテンプレートＡのようなレイアウトで画像が表示されるモードである。同様に再生モードＢはテンプレートＢに対応するモードである。
【００４３】
再生モードＡが選択されたと判断する（ステップＳ１Ｙ）と、ステップＳ３に進む。そして再生モードＡの表示に対応し、別途選択されたテンプレートＡまたはＢのデータをテンプレート記録部７ｂから読み出して、図６（Ａ）で示すテンプレートＡを表示画面１９に表示させる（ステップＳ３）。
【００４４】
再生モードＡが選択されないとき（ステップＳ１Ｎ）には、再生モードＢの選択を判断し（ステップＳ２）、選択されたと判断するときにはステップＳ４に進む。そして、再生モードＢの表示に対応する動画テンプレートのデータをテンプレート記録部７ｂから読み出して、テンプレートＢを表示画面１９に表示させる（ステップＳ４）。
【００４５】
一方テンプレートＡ，Ｂいずれも選択されないとき（ステップＳ２Ｎ）には、通常撮影モードに設定する（ステップＳ５）。そしてモニタ画像を表示画面１９に全面表示させて（ステップＳ６）、ステップＳ２０に進む。
【００４６】
テンプレートに従って、撮影を進める場合を説明する。まず、ステップS１０にて、テンプレートのどの画像を撮影するかをユーザーに選択させる。例えばテンプレートＡが選択されているとすると、図６（Ａ）のうちの３枚のどの画面（シーン）に対応する画像を撮影するかについてをユーザーがカメラのスイッチ１２を操作して選択する通知を待つ。
【００４７】
サブ画面１９ｄがユーザーに選択されたとする。つまり、中央のサブ画面１９ｄが撮影する画面となる。また選択後に、選択された画面の枠を太くして、いずれの画面が撮影画面に選択されたかをユーザーによくわかるように表示する。
【００４８】
次に、図６（Ａ）に示すように、サブ画面１９ｃ、１９ｅに選択した画像を表示させる。選択した画像とは、例えば上述したようにユーザーのお気に入りの写真である（ステップＳ１１）。ここでは、既に撮影され、記録部７ａに記録された画像からお気に入りの写真が選択されたとする。
【００４９】
次に、図６（Ｂ）に示すように、下のサブ画面１９ｄにはおすすめの構図を示すおすすめ構図画像を表示させ、また上のサブ画面１９ｆには１画面上のレイアウトでどの部分に相当する画像かを示すレイアウト画像を表示させる（ステップＳ１２）。
【００５０】
そして、メイン画面１９ａには、これから撮影する被写体の画像を撮像素子から入力してモニタ画像として表示させ（ステップＳ１３）、ステップＳ２０に進む。ユーザーはおすすめ構図画像を参照して、これから撮影する画像を確認しつつ撮影を行えばよい。
【００５１】
ステップ２０では、撮影が動画撮影かを判断する。ここで、撮影画像として図７で示したような動画が選択された場合には動画撮影である判断し、ステップＳ２１に進む。動画撮影の開始タイミングを待ち（ステップＳ２１）、開始タイミングを検出すれば、動画撮影を実行し（ステップＳ２２）、ステップＳ２５に進む。
【００５２】
一方、静止画像が選択されたとき（ステップＳ２０Ｎ）には、ステップ２３に進む。そして、撮影指示を待ち（ステップＳ２３）、撮影指示を検出して静止画撮影を行い（ステップＳ２４）、ステップＳ２５に進む。ステップ２０からステップ２４はテンプレート撮影以外の通常撮影でも同様である。
【００５３】
ステップＳ２５ではこの撮影が通常撮影以外、つまりテンプレートが使用された撮影かを判断し、通常撮影の場合にはこのフローチャートの処理を終了する（ＲＥＴ）。
【００５４】
一方、テンプレート撮影の場合にはステップＳ２６に進む。ステップＳ２６ではこの撮影で選択したテンプレートのサンプル画像の部分を実際に撮影した画像に置き換えて、置き換えたテンプレートデータをテンプレート記録部７ｂに記録する。
【００５５】
テンプレートデータの切換を以下に説明する。図９は更新前後のテンプレートデータの内容を対比させて示すものである。図９（Ａ）が図６（Ａ）に表示される更新前のテンプレートのデータ内容を示し、図９（Ｂ）が図６（Ｃ）に表示される新たな画像で更新された更新後のテンプレートのデータ内容を示す。ここでは、画像Ａがサブ画面１９ｄに表示される構図画像（サンプル画像）に対応するものとする。上記ステップＳ２６で説明したように、テンプレート記録部７ｂに記録されているテンプレートデータのうちで、画像Ａの画像内容であるサンプル画像Ａのデータを、撮影後の画像のデータに置き換えて記録する。これにより、テンプレート上に実際の撮影画像が載せられていくので、撮影のたびに最終画像の確認を行いながら、次の撮影に進むことが可能になる。
【００５６】
また、図８のフローチャートで撮影画像を記録するときには、所定の圧縮率での圧縮処理が画像圧縮手段６によって行われる。このとき、ＣＰＵ１が撮影画像の大きさに応じて圧縮率の変更を行う。
【００５７】
図１０は、ＣＰＵ１による圧縮率変更処理を示すフローチャートである。撮影される画像が補助的で小さな画像に該当するときには、必要以上の分解能は必要ではないからである。前記図８のステップＳ１０でテンプレートの複数の画面（シーン）のいずれかかが撮影画面に選択されるが、ＣＰＵ１は、ステップＳ３０で撮影画面として小画面が選択されたかを検出し、小画面（例えば、サブ画面１９ｃ、１９ｅ）が選択された場合には、画像圧縮手段６の圧縮率を高く設定する（ステップＳ３１）。ＣＰＵ１は、小画面が選択されていない場合（例えば、メイン画面１９ａ）には（ステップＳ３０Ｎ）、画像圧縮手段６の圧縮率を低く設定する（ステップＳ３２）。
【００５８】
そして、上記のように画面の大きさに応じて設定される圧縮率で撮影画像が記録部７ａに記録される。従って大きな画面（メイン画面１９ａ）での撮影時は、圧縮率を低くして画像鑑賞時に分解能が十分であるような撮影を行われ、それ以外でメモリを無駄に使用するのを防止する。
【００５９】
以上のように、撮影時に被写体画像が、再生時を想定して複数の画像（シーン）の一部として表示されて、撮影記録される。そして、画像鑑賞時には、再生指示により、ＣＰＵ１が記録部７ａから記録された画像を読み取り伸長して図６（Ｃ）や図７と同様な複数の画像（シーン）がレイアウトされた画像を表示手段９に表示させる。同様にこの記録された画像をプリンタ１１でプリントするに際しては、ＣＰＵ１はプリンタ１１でプリントされる予定の画像、つまり図６（Ｃ）や図７と同様な複数の画像（シーン）がレイアウトされた画像を表示手段９に表示させる。
【００６０】
次に図１１は、他のテンプレートの例として、コラージュ風のテンプレートを示す図である。図１１に示すテンプレートが撮影時に表示画面１９に表示される。このテンプレートにより、複数画像を画像内にコラージュ風に複数画像を収めた写真を作成することができる。一枚のプリントにプリントアウトする場合にも、図２（Ｃ）で説明したような１つの画像内にコラージュ風に複数画像を収めた写真に構成しても効果的だからである。
【００６１】
このコラージュ風のテンプレートでは、表示画面１９には、ほぼ全体にメイン画面１９ａ、左上にサブ画面１９ｃ、右上にサブ画面１９ｅが設定される。メイン画面１９ａとサブ画面１９ｃ、１９ｅは図６，７の例とは異なり、領域が分けられてはいない。そして、メイン画面とサブ画面の像の重なった部分はグラデーション処理等して、継ぎ目を目立たないように表示される。コラージュ風のテンプレートは、他のテンプレートと同様にテンプレート記録部７ｂに記録されている。
【００６２】
図１２は、撮影時にＣＰＵ１によって実行されるコラージュ風テンプレートの画像処理を説明するフローチャートである。ＣＰＵ１はステップ３５でコラージュ風のテンプレートが選択されたかを判断し、選択されなかったとき（ステップＳ３５Ｎ）には、この処理を終了する（ＲＥＴ）。コラージュ風のテンプレートが選択されたとき（ステップＳ３５Ｙ）には、画像処理手段５に境界部のグラデーション処理を実行させる（ステップＳ３６）。ここでグラデーション処理された画像が、図１１のようにモニタ画像として表示手段９に表示され、撮影指示により記録部７ａに記録される。
【００６３】
そして、記録後再生指示により、グラデーション処理されて記録部７ａに記録された記録画像は、図１１と同様な画像として表示画面１9に表示される。またプリントする際には、図１１と同様な画像がプリント用画像として表示画面に表示される。
【００６４】
なお以上の説明で、撮影された被写体画像を含む複数の画像が1の画面にレイアウトされた画像をプリント用画像または再生用画像として表示手段９に表示させるモードを第１の表示モードと呼び、また、プリント用画像または再生用画像で被写体画像がレイアウトされる予定の位置（所定のテンプレート）に被写体画像を表示させるモードを第２の表示モードと呼ぶ。
【００６５】
以上のように、本実施形態のカメラでは、従来のコマ送り式の鑑賞法とは異なり、自由なレイアウト、時間変化などを考慮した効果的な視覚効果による作品鑑賞を前提とした写真撮影が可能となる。ユーザーはこれを見て自分がどのような画像を撮影すれば第３者に見せた時に喜ばれるかがわかり、これを参考して撮影をすればよい。
【００６６】
そして、単独で並んだ画像では、撮影者にしか判らない事があるが、このように、１つの画面の中に関連づけて、複数画像の中に並べると個々の画像の関係が鑑賞者にも理解しやすく、より印象に残る効果を与えることができる。このカメラにより、従来のフィルム式の撮影以上に画像を効果的に楽しむことのできる撮影ができる。
【００６７】
そして、あらかじめ、テンプレートでおすすめのレイアウトや構図などが指示されるので、熟練したユーザーではなくとも、効果的に写真撮影ができる。更に、サブ画面は圧縮率を高めていたずらにマルチ画面によるメモリ消費が増加しないように工夫しており、状況に応じて動画像も効率的に利用可能で、インパクトのある映像作品がかんたんに撮影できる。
【００６８】
また、こうして作られた画像をカメラ１０に接続されたプリンタ１１等でプリントアウトすると、図１（Ｂ）のようなフィルムからプリントした従来の写真に比べて、情報量が多く、イマジネーション豊かに楽しめるプリント作品を提供することができる。短い時間でユーザーの意図を表現できる鑑賞システムを構成することが可能になる。これによって、従来のようにプリント上の静止画を越した映像表現が可能となるシステムを提供できる。
【００６９】
［第２の実施形態］次に、本発明の第２の実施形態について図１３から図１６を用いて説明する。本発明の第２の実施形態は、複数の画像の表示順番や表示時間を調整して、アルバム風の画像を作成する例である。上記第１の実施形態は、所定のテンプレートに従い一定のレイアウトに沿って複数の画像を撮影するという、いわば画像を空間的にレイアウトする方法であった。しかし、複数の画像は空間的だけではなく時間的にもレイアウトできるからである。なお、本実施形態のデジタルカメラの構成は、上記第１の実施形態で説明した図４のブロック図と同様であるので図は省略するが、図４と同じ符号を使って説明する。また、上記第１の実施形態と同様に以下の動作はＣＰＵ１の処理による表示制御手段（表示制御部）によって行われる。
【００７０】
図１３（Ａ）は、イベントの種類が表示される表示画面１９を示す図である。例えば「旅行」、「結婚式」、「入学式」という３つのイベントが予め用意され、ユーザーは撮影の内容に合わせてこの画面でいずれかのイベントを選択する。後述するように各イベントにはイベントにふさわしい典型的な画像切換パターンがそれぞれ用意されている。
【００７１】
図１４は図１３（Ａ）の「旅行」の画像切換パターンを表す４つ代表的構図を示す図である。同図（１）は代表的構図として「風景」、同（２）は「人物」、同（３）は「食べ物」、同（４）は「風景の中の人物」を示す。この４つを選んだのは、「旅行」では、「１風景」、「２人物」、「３食べたもの」、「４風景の中の人物」の画像が一連に記録されていることが一般的に好ましいからである。
【００７２】
図１３（Ａ）で「旅行」イベントが選択されたとすると、図１３（Ｂ）で示すように、図１４で示された「旅行」用のサンプル画像（代表的構図）が表示画面１９に表示される。また、このサンプル画像の下に各パターンの適正撮影時間が表示される。ここでは、各サンプル画像相当の撮影を１〜４までの数字の順番に従ってそれぞれ１５秒づつ行い、全部で１分で終了するような撮影が推奨撮影であることを示している。つまり１分で鑑賞者が画像鑑賞を終了できるような撮影を薦めている。これにより、記録忘れや変化のない作品を作ることを防止し、かつ動画にありがちな単調でだらだらと退屈な画像となることも防止される。
【００７３】
図１３（Ｃ）は、図１３（Ｂ）で「風景」が選択されたときの撮影時の表示画面１９を示す図である。複数の画像がレイアウトされたテンプレートが表示される。表示画面１９の右上のサブ画面１９ｂには上記選択された「１風景」のサンプル画像が参照用に表示され、表示画面１９の中央のメイン画面１９ａに撮影中のモニタ画像が表示される。サブ画面１９ｂに代表的構図のサンプル画像が表示されるので、ユーザーはこれと実際に撮影しようとしている画像が表示されるメイン画面１９ａを比べて撮影することができる。
【００７４】
また、推奨する操作指示内容を表示画面１９に表示してもよい。ここでは、ユーザーにズーミング操作を推奨するために、推奨する操作指示１９ｇとして「ズーミング」と表示する。このズーミング操作もサンプル動画にあわせて、ＣＰＵ１によって電子ズームで制御を行いながら、撮影するようにしてもよい。
【００７５】
また、表示画面１９には撮影経過時間を示す目盛り部１９ｈを表示してもよい。目盛り部１９ｈの途中に表示してある「三角の部分」は、経過時間を示すマークで、時間経過に応じて下に移動する。これにより記録時間も判り、記録した時間とこれから記録すべき時間を感覚的に認識できるようになる。
【００７６】
そして撮影者は図１３（Ｂ）の残る「２人物」、「３食べたもの」、「４風景の中の人物」の３つの画面についても、同じような方法で順次撮影を行っていく。図１５は完成した作品の例を示す図である。同図（Ａ）は「１風景」、同図（Ｂ）は「２人物」、同図（Ｃ）は「３食べたもの」、同図（Ｄ）は「４風景の中の人物」に対応して撮影されたものである。
【００７７】
そして、再生指示により、上記「１風景」、「２人物」、「３食べたもの」、「４風景の中の人物」の順番で自動的に再生される。
【００７８】
なお、画面全体のテンプレートデータ、イベントの種類のデータ、サンプル画像のデータ及び時間情報等はテンプレート記録部７ｂに記録されている。
【００７９】
図１６は、上記図１３で示した画面表示等についてＣＰＵ１が行う処理を具体的に説明するフローチャートである。かかる処理はＣＰＵ１に内蔵または外付けＲＯＭ（不図示）に記憶されたプログラムを読み込んだＣＰＵ１により実行される。
【００８０】
カメラが撮影モードにあるとする。まず図１３（Ａ）で示すようにイベントの種類を一覧表示させる（ステップＳ４０）。表示されたイベントがユーザーに選択されたかを検出し（ステップＳ４１）、検出しないとき（ステップＳ４１Ｎ）にはステップ４０に戻る。イベント選択を検出する（ステップＳ４１Ｙ）とステップＳ４２に進む。
【００８１】
次に、選択されたイベントに応じて、図１３（Ｂ）示すような画像切換パターンとしてのサンプル画像（代表的構図）を表示させる（ステップＳ４２）。次にサンプル画像がユーザーに選択されたかを検出する（ステップＳ４３）。この複数のサンプル画像のうちどの構図を撮影するかの選択は、ユーザーがカメラ背面などに設けられた操作スイッチ１２例えば十字キースイッチ１２ａで行う。サンプル画像の選択を検出しないとき（ステップＳ４３Ｎ）では、ステップ４２に戻る。サンプル画像の選択を検出する（ステップＳ４３Ｙ）とステップＳ４４に進む。
【００８２】
次に、図１３（Ｃ）で示すように、サブ画面１９ｂに選択されたサンプル画像を表示させる（ステップＳ４４）。そして、メイン画面９ａに撮影される画面（被写体画像）をファインダー画面のように表示させ、また、「ズーミング」等の操作指示１９ｇも表示させ（ステップＳ４５）、ステップＳ４６に進む。
【００８３】
そして、ユーザーの撮影開始指示であるレリーススイッチ操作を待つ（ステップＳ４６）。レリーススイッチはスイッチ１２に含まれる。撮影開始を検出しないとき（ステップＳ４６Ｎ）にはステップ４４に戻る。検出する（ステップＳ４６Ｙ）とステップＳ４７に進む。そして、撮影を開始し同時に計時も行う（ステップＳ４７）。さらに、計時した結果に応じて図１３（Ｃ）の１９ｈの三角マークを下方に移動させ（ステップＳ４８）、ユーザーの撮影終了指示を待つ（ステップＳ４９）。ユーザーは、この三角マークが一番下までくるのを目安にして撮影を終了させる。
【００８４】
撮影終了指示があるまではステップ４７に戻り撮影を続行し、撮影終了指示を検出したら（ステップＳ４９Ｙ）この処理を終了する（ＲＥＴ）。これにより１つの場面の撮影が終了する。図１３（Ｂ）で残る３場面も、同じような方法で順次撮影を終えて撮影が完了する。撮影画像は記録部７ａに記録される。
【００８５】
以上説明したように本実施形態によれば、上記第１の実施形態の効果に更に以下の効果を得ることができる。動画にありがちな単調でだらだらと退屈な画像となることが防止される。また、記録忘れを防止し変化のない作品を作ることを防止する。以上により、動画撮影に不慣れなユーザーでも、鑑賞に耐える変化にとんだ動画アルバムが簡単に撮影できる。
【００８６】
［第３の実施形態］次に、本発明の第３の実施形態について図１７〜１９を用いて説明する。本発明の第３の実施形態は、さらに選択されたサンプル画像と同様な画像を撮影できるように、選択されたサンプル画像に応じて撮影モードを自動切換えするようにした発明である。なお、本実施形態のデジタルカメラの構成は上記第１の実施形態で説明した図４のブロック図と同様であるので図は省略するが、図４と同じ符号を使って説明する。また、上記第１の実施形態と同様に以下の表示制御はＣＰＵ１の処理による表示制御手段（表示制御部）によって行われる。
【００８７】
図１７（Ａ）はユーザーに手で持たれた状態のカメラ背面を示す図である。ここで、上記第２の実施形態で説明した図１３（Ａ）と同様なイベントの種類が表示されて、特定のイベントが選択されたものとする。
【００８８】
表示画面１９には、テンプレートとして、選択された特定イベントに対応した本発明の特徴たる複数のサンプル画像がレイアウトされて表示されている。表示画面１９のメイン画面１９ａには人物画像がサンプル画像として表示される。画面左のサブ画面１９ｃには縦構図の「風景」のサンプル画像が表示され、画面右のサブ画面１９ｅには「花」の画像がサンプル画像として表示される。全体として雰囲気豊かな画面としている。
【００８９】
ユーザーはこのような複数の画像を見て、同じように撮影したいと思う画像を、カメラ１０の十字キースイッチ１２ａを操作して選択する。ここではサブ画面１９ｅの「花」が選択されたとする。サブ画面１９ｅの枠が太く表示されてサブ画面１９ｅが選択されたことを示す。
【００９０】
図１７（Ｂ）は図１７（Ａ）でサンプル画像が選択された次の画面を示す。メイン画面１９ａにこれから撮影しようとしている画像が表示され、メイン画面１９ａの隣のサブ画面１９ｂには選択されたサンプル画像「花」が表示される。そして、対応して撮影モードが「マクロ」に設定される。推奨構図を表示するだけではなく、選択されたサンプル画像に応じてサンプル画像の撮影に適した撮影モードに切り換えられる。サブ画面１９ｅの下に撮影モード名１９ｊも確認にために表示される。
【００９１】
図１８は、選択されたサンプル画像に対応する撮影モードとその撮影条件の具体的な例の一部を示す表である。この撮影モードの設定により、ピントの範囲やピント合わせする画面内のポイントやストロボ発光の有無などの撮影条件を切り換えられる。この表は、左端の縦列が「マクロ、ポートレイト、風景」等の撮影モードを示し、上端横に、この各撮影モードに対応する「ピント、ストロボ、ピント合わせポイント」等の具体的な撮影項目で設定される条件値を示している。
【００９２】
ここで例えば、サンプル画像「風景」が選択されると、撮影条件が図１８の表で示すような撮影モード「風景」の条件に設定される。同様に、サンプル画像の「人物」および「花」が選択されると、撮影条件が撮影モードの「ポートレイト」、「マクロ」の条件に設定される。
【００９３】
また、図１７（Ｃ）は、図１７（Ａ）でサブ画面１９ｃのような縦構図の画像が選択された後の表示画面を示す図である。メイン画面１９ａおよびサブ画面１９ｃいずれも縦表示にして、かつ、縦構図を促すような注意表示１９ｋを表示させる。ユーザーが正しく縦の構図でのフレーミングして撮影を行うような指示がされるので、ユーザーは自然にカメラ１０を縦に構えて撮影するようになる。なお以上の、画面全体のテンプレートデータ、イベントの種類のデータ、サンプル画像のデータ等はテンプレートメモリ７ｂに記録されている。
【００９４】
図１９は、ＣＰＵ１が行う本実施形態に関する処理を説明するフローチャートである。まずカメラが撮影モードにあるとする。ステップ５１では、上記第２の実施形態で説明した図１３（Ａ）と同様なイベントの種類を表示させる（図示省略）。
【００９５】
次に、イベント選択の有無を検出し（ステップＳ５２）、イベントの選択を検出しないとき（ステップＳ５２Ｎ）にはステップ５１に戻る。イベント選択を検出する（ステップＳ５２Ｙ）とステップＳ５３に進む。ステップＳ５３では、選択されたイベントに応じて、上記図１７（Ａ）で示すようにサンプル画像を表示させる。
【００９６】
次にサンプル画像がユーザーに選択されたかを検出する（ステップＳ５４）。サンプル画像の選択を検出しないとき（ステップＳ５４Ｎ）には、ステップ５３に戻る。サンプル画像の選択を検出する（ステップＳ５４Ｙ）とステップＳ５５に進む。
【００９７】
ステップ５５では、選択されたサンプル画像が「人物」かを判断し、「人物」のときには（ステップＳ５５Ｙ）、撮影モードをポートレートモードに設定する（ステップＳ６１）。「人物」ではないとき（ステップＳ５５Ｎ）にはステップＳ５６に進む。
【００９８】
続いて、選択されたサンプル画像が「風景」かを判断し（ステップＳ５６）、「風景」のときには、撮影モードを風景モードに設定する（ステップ６２）。「風景」でないとき（ステップＳ５６Ｎ）には、ステップＳ５７に進む。
【００９９】
さらに、選択されたサンプル画像が「花」（拡大画面）かを判断し（ステップＳ５７）では、「花」（拡大画面）のとき（ステップＳ５７Ｙ）には、撮影モードをマクロモードに設定する（ステップＳ６３）。以上でサンプル画像に応じた撮影モードが設定される。
【０１００】
続いて、選択されたサンプル画像が縦画像かを判断し（ステップＳ６５）、縦画像のとき（ステップＳ６５Ｙ）には、図１７（Ａ）の注意表示１９ｋのようにその旨の注意や撮影の仕方を表示画面１９に表示させる（ステップＳ６６）。縦画像でない場合はステップＳ６６をジャンプして、ステップＳ６７に進む。
【０１０１】
続いて、レリーススイッチ操作を検出し（ステップＳ６７）、検出すると（ステップＳ６７Ｙ）、ステップＳ６１〜Ｓ６３にて設定された撮影モードにて撮影を行う（ステップＳ６８）。
【０１０２】
さらに、撮影の画面サイズが小かを判断する（ステップＳ６９）。撮影の画面サイズが小のとき（ステップＳ６９Ｙ）には、画像圧縮手段６の圧縮率を大きな圧縮率に切り換え（ステップＳ７０）、ステップＳ７１に進む。一方撮影の画面サイズが小でないとき（ステップＳ６９Ｎ）には、そのままステップ７１に進む。ステップＳ７１では、画像圧縮手段６で設定された圧縮率で圧縮処理を行わせ、圧縮された撮影画像を記録手段７ａへ記録する。
【０１０３】
そして、特定イベントに基づいて表示されるサンプル画像を構図として参照しながら、図１７（Ｂ）や（Ｃ）のような撮影画面下で「花」や「風景」の撮影記録を順次行う。そして、イベントの一連の撮影を完了させる。
【０１０４】
そして、撮影完了後、再生指示による画像鑑賞時に、記録手段に記録された記録画像が、例えば図１７（Ａ）画面と同様な画面で、複数のシーンを含む画像として表示画面１9に表示される。またプリントする際にも、図１７（Ａ）画面と同様なレイアウトで、複数のシーンを含む画像がプリント用画像として画面に表示される。
【０１０５】
以上説明したように本実施形態によれば、上記第１の実施形態の効果に更に以下の効果を得ることができる。初心者でも効率的なマルチ画面の画像を失敗なく得ることができる。ピントの範囲などの規制によって、ピンぼけなどを防ぐ上、撮影モード名や撮影方法までを提示するのでユーザーの撮影テクニックを向上させることもできる。
【０１０６】
また、上記第１〜第３の各実施形態はプログラムに従ったＣＰＵ１の制御処理によって実現されるが、つまりこれは上記プログラム自体が上述した実施の形態の機能を実現することになり、このプログラム自体が本発明を構成する。
【０１０７】
そして、これらのプログラムはカメラに着脱可能な記録媒体に格納されても良い。記録媒体としては、ＣＤ−ＲＯＭやＩＣカード等の半導体メモリー等を用いることができる。そして、このプログラムが記憶された記録媒体も本発明を構成する。
【０１０８】
又、専用通信ネットワークやインターネットに接続されたサーバシステムに設けたハードディスクまたはＲＡＭ等の格納装置を記録媒体として使用し、通信網を介してプログラムをカメラに提供してもよい。或いは他のアプリケーションソフト等と共同して上述の実施の形態の機能が実現される場合にも、かかるプログラムが本発明の実施の態様に含まれることはいうまでもない。
【０１０９】
尚、本実施の形態ではその処理を、プログラムをCPU上で実行して実現するものとしているが、これに限られることはなく、例えば、各処理の一部または全部をハードウェアにより実現するようにしても良い。
【０１１０】
また、上記実施形態ではカメラを単体としてのカメラで説明したが、カメラ付き携帯電話等のカメラ部に適用してもよい。
【０１１１】
また、本発明は上記実施形態をそのままに限定されるものではなく、実施段階ではその要旨を逸脱しない範囲で構成要素を変形して具体化できる。また、上記実施形態に開示されている複数の構成要素の適宜な組合せにより、種々の発明を形成できる。例えば、実施形態にしめされる全構成要素から幾つかの構成要素を削除してもよい。さらに、異なる実施形態にわたる構成要素を適宜組合せてもよい。
【符号の説明】
【０１１２】
１…ＣＰＵ、２…撮影レンズ、３…撮像素子、４…Ａ／Ｄ変換手段、
５…デジタル画像処理手段、６…画像圧縮手段、７…メモリ、７ａ…記録部、
７ｂ…テンプレート記録部、８…表示制御手段、９…表示手段、
１０…デジタルカメラ、
１１…プリンタ、１２…スイッチ、１２ａ…十字キースイッチ、１９…表示画面、
１９ａ…メイン画面、１９ｂ…サブ画面、１９ｃ…サブ画面、 １９ｄ…サブ画面、
１９ｅ…サブ画面、１９ｆ…レイアウト画像、１９ｇ…操作指示、１９ｈ…目盛り部、
１９ｊ…撮影モード名、１９ｋ…注意表示、２０…被写体像
【図１】
0005580927.tif 000002
【図２】
0005580927.tif 000003
【図３】
0005580927.tif 000004
【図４】
0005580927.tif 000005
【図５】
0005580927.tif 000006
【図６】
0005580927.tif 000007
【図７】
0005580927.tif 000008
【図８】
0005580927.tif 000009
【図９】
0005580927.tif 000010
【図１０】
0005580927.tif 000011
【図１１】
0005580927.tif 000012
【図１２】
0005580927.tif 000013
【図１３】
0005580927.tif 000014
【図１４】
0005580927.tif 000015
【図１５】
0005580927.tif 000016
【図１６】
0005580927.tif 000017
【図１７】
0005580927.tif 000018
【図１８】
0005580927.tif 000019
【図１９】
0005580927.tif 000020